(57)【要約】【課題】センサライトによる照明範囲を制御し、隣近所への光害を低減する。【解決手段】ランプを有し前記ランプの光によって一定の範囲に向けて照射して前記一定の範囲を照明する照明部１と、この照明部が上部に首振り可能に支持され設置場所に取り付けられる取付部と、この取付部あるいは取付部の下部に設けられ検知エリア内への侵入物の侵入を検知する検知センサ部とを備える。前記検知センサ部による侵入物の検知により前記ランプを点灯する。照明部１に、前記光の全部又は一部の照射方向を規制するフード部材２を着脱可能に設ける。このフード部材２を照明部１に取り付けた状態あるいは前記フード部材２を照明部１から取り外した状態で使用される。【選択図】  図１
2008181869.tif 000002
【特許請求の範囲】
【請求項１】
光源を有し前記光源の光を一定の範囲に向けて照射して前記一定の範囲を照明する照明部と、この照明部が上部に首振り可能に支持され設置場所に取り付けられる取付部と、この取付部あるいは取付部の下部に設けられ予め定められた検知エリア内への侵入物の侵入を検知する検知センサ部とを備え、前記検知センサ部による侵入物の侵入の検知により前記光源を点灯するセンサライトであって、
前記照明部に、前記光の全部又は一部の照射方向を規制する規制部材が着脱可能に取り付けられ、
前記規制部材を前記照明部に取り付けた状態あるいは前記規制部材を前記照明部から取り外した状態で使用する構成とされていることを特徴とするセンサライト。
【請求項２】
前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、
前記規制部材は、前記照明部に取り付けられる基部と、前記基部に連接され前記照明部より突出して延びる規制本体部とを有することを特徴とする請求項１に記載のセンサライト。
【請求項３】
前記基部は、前記照明本体部と保護キャップ部との間に挟持されることで、前記規制部材が前記照明部に取り付けられることを特徴とする請求項２に記載のセンサライト。
【請求項４】
前記基部は、前記照明本体部に対し前後方向あるいは周方向にスライド可能に装着され、
前記照明本体部と前記基部との間に、前記照明本体部に対し前記基部を前後方向あるいは周方向に案内する案内手段が設けられていることを特徴とする請求項２に記載のセンサライト。
【請求項５】
前記案内手段は、前記照明本体部又は基部の一方に設けられる係合凸部と、前記照明本体部又は基部の他方に設けられ前記係合凸部がスライド可能に係合する案内凹部とを有することを特徴とする請求項４に記載のセンサライト。
【請求項６】
前記規制本体部は、断面円弧形状又は断面半円弧形状であることを特徴とする請求項２〜５のいずれかに記載のセンサライト。
【請求項７】
前記規制本体部は、前端に位置する半球面形状の前側部分と、この前側部分の後側に連接される断面半円弧状の後側部分とを有することを特徴とする請求項２〜５のいずれかに記載のセンサライト。
【請求項８】
前記規制本体部は、少なくとも一部に複数の開孔が形成されていることを特徴とする請求項２〜７のいずれかに記載のセンサライト。
【請求項９】
光源を有し前記光源の光を一定の範囲に向けて照射して前記一定の範囲を照明する照明部と、この照明部が上部に首振り可能に支持され設置場所に取り付けられる取付部と、この取付部あるいは取付部の下部に設けられ予め定められた検知エリア内への侵入物の侵入を検知する検知センサ部とを備え、前記検知センサ部による侵入物の侵入の検知により前記光源を点灯するセンサライトであって、
前記照明部に、前記光の全部又は一部の照射方向を規制する規制部材が取り付けられていることを特徴とするセンサライト。
【発明の詳細な説明】
【技術分野】
【０００１】
本発明は、侵入物の検知により光源を点灯する、主として防犯用に使用されるセンサライトに関するものである。
【背景技術】
【０００２】
一般に、センサライトは、光源を有し前記光源の光を一定の範囲に向けて照射して前記一定の範囲を照明する照明部と、検知エリア内への侵入物の侵入を検知する検知センサ部とを備え、前記検知センサ部による侵入物の検知により前記光源を点灯する、主として防犯用に使用されるものである。そして、そのようなセンサライトにおいて、前記照明部による照射方向を変更あるいは調整できるように構成されたものも知られている（例えば、特許文献１参照）。
【０００３】
そのようなセンサライト１０１は、例えば図１５（ａ）に示すように、設置場所に取付固定される取付部１０１Ａと、この取付部１０１Ａの上部に対し左右方向及び上下方向に首振り可能に取り付けられた照明部１０１Ｂと、取付部１０１Ｂの下端部に左右方向及び上下方向に回転可能に取り付けられた人体検知センサ部１０１Ｃとにより構成される。なお、人体検知センサ部１０１Ｃ’は、図１５（ｂ）に示すセンサライト１０１’のように、取付部１０１Ａ’の前面部に取り付けられる場合もある。
【０００４】
照明部１０１Ｂは、例えば図１６（ａ）に示すように、光源１０２（図１７参照）からの光を、照明角度φ＝７０°〜１２０°で一定距離Ｌだけ一定の範囲に向けて照射して前記一定の範囲を照明することができる。この場合、図１６（ｂ）に示すように、取付高さＨ＝２．５ｍで、取付角度θ＝２０°〜３０°とされる。また、図１７に示すように、照明部１０１は、光源としての光源１０２（一般に、７５Ｗ〜１００Ｗのハロゲンランプ）と、反射鏡１０３とを有し、反射鏡１０３の形状により反射方向が決定され、照明範囲が固定される。
【特許文献１】特開平１０−１４４１３４号公報（段落０００９〜００１１および図１）
【発明の開示】
【発明が解決しようとする課題】
【０００５】
そのようなセンサライトは、住宅街の戸建て住宅の玄関先、カーポートなどに設置され、検知センサ部による侵入物の検知により光源を点灯する構成となっているので、センサライトの光源が点灯した場合に、左右両隣や向かいの住居まで照明し、迷惑をかけるおそれがあり、いわゆる光害の問題を生ずるおそれがある。
【０００６】
一方、光量の少ない光源を使用すると、照明範囲を住居内に制限することは可能であるが、必要な照度が得られず、照明範囲が非常に暗くなり、照明効果が得られない。
【０００７】
この発明は、光源からの光の全部又は一部の照射方向を規制することで、センサライトによる照明範囲を制御し、使用者が必要とする範囲内のみを照明することを目的とする。
【課題を解決するための手段】
【０００８】
請求項１の発明は、光源を有し前記光源の光を一定の範囲に向けて照射して前記一定の範囲を照明する照明部と、この照明部が上部に首振り可能に支持され設置場所に取り付けられる取付部と、この取付部あるいは取付部の下部に設けられ予め定められた検知エリア内への侵入物の侵入を検知する検知センサ部とを備え、前記検知センサ部による侵入物の侵入の検知により前記光源を点灯するセンサライトであって、前記照明部に、前記光の全部又は一部の照射方向を規制する規制部材が着脱可能に取り付けられ、前記規制部材を前記照明部に取り付けた状態あるいは前記規制部材を前記照明部から取り外した状態で使用する構成とされていることを特徴とする。ここで、使用される規制部材の形状に応じて、光源からの光全部の照射方向が規制されたり、光の一部の照射方向が規制されたりする。
【０００９】
このようにすれば、規制部材を照明部から取り外した状態で使用する場合には、従来と同様に、前記一定の範囲に向かって光源の光を照射し、比較的広範囲となる一定の範囲を照明することができる。その一方、前記規制部材をケーシングに取り付けた状態で使用する場合には、光源からの光の照射方向を前記規制部材によって規制することで照明範囲を制御し、使用者が必要とする範囲だけを照明することができる。よって、規制部材を設けるという簡単な構成でもって、隣近所への光害を低減することができる。
【００１０】
また、検知センサ部を取り付ける取付部とは別の照明部に規制部材を取り付けるので、検知センサ部の検知機能を損なうおそれもない。
【００１１】
請求項２に記載のように、前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、前記規制部材は、前記照明部に取り付けられる基部と、前記基部に連接され前記照明部より突出して延びる規制本体部とを有する構成とすることができる。
【００１２】
このようにすれば、基部を照明部に取り付けるだけで、規制本体部によって光源からの光の照射方向を規制して照明範囲を制御することができる。基部を照明部に取り付けるので、前記取付部の設置場所への取付方法に影響を与えるおそれもない。
【００１３】
請求項３に記載のように、基部は、照明本体部と保護キャップ部との間に挟持されることで、前記規制部材が前記照明部に取り付けられる構成とすることができる。
【００１４】
このようにすれば、基部を照明本体部と保護キャップ部との間に挟持することで、規制部材を照明部に対し安定性よく支持させることができる。
【００１５】
請求項４に記載のように、前記基部は、前記照明本体部に対し前後方向あるいは周方向にスライド可能に装着され、前記照明本体部と前記基部との間に、前記照明本体部に対し前記基部を前後方向あるいは周方向に案内する案内手段が設けられている構成とすることもできる。
【００１６】
このようにすれば、案内手段による案内によって、照明本体部に対し基部を前後方向あるいは周方向にスライド可能とすることができ、照明範囲の調整あるいは変更を簡単に行うことができる。
【００１７】
請求項５に記載のように、前記案内手段は、前記照明本体部又は基部の一方に設けられる係合凸部と、前記照明本体部又は基部の他方に設けられ前記係合凸部がスライド可能に係合する案内凹部とを有する構成とすることができる。ここで、照明部に対し規制部材が着脱可能に取り付けられるようにするためには、係合凸部が前記照明本体部又は基部の一方に着脱可能に設けられているか、案内凹部の一部に、係合凸部との係合を解除するための開放部分が設けられていることが必要である。
【００１８】
このようにすれば、係合凸部と案内凹部との係合関係で、基部を前後方向あるいは周方向に案内する案内手段を簡単に構成することができる。
【００１９】
前記規制本体部は、請求項６に記載のように、断面円弧形状又は断面半円弧形状としたり、請求項７に記載のように、前端に位置する半球面形状の前側部分と、この前側部分の後側に連接される断面半円弧状の後側部分とを有する構成としたり、請求項８に記載のように、少なくとも一部に複数の開孔が形成されている構成としたりすることができる。
【００２０】
このようにすれば、規制部材の形状を工夫することで、制御する照明範囲について各種の態様をとることができる。
【００２１】
前記規制部材は、照明部に対して着脱可能に取り付けられ、取り外し・取り付けを容易にできるようにする必要はなく、請求項９に記載のように、前述したセンサライトであって、前記照明部に、前記光の全部又は一部の照射方向を規制する規制部材が取り付けられている構成とすることも可能である。この場合は、照明部に規制部材が一体的に形成され、規制部材自体を取り外すことができない場合のほか、ねじ止めや耐熱性接着剤による固定などのように、取り外し・取り付けは可能であるが、そのような取り外し・取り付けが困難である場合も含む。
【発明の効果】
【００２２】
本発明は、照明部に、光の全部又は一部の照射方向を規制する規制部材を着脱可能に設けたので、前記規制部材を照明部に取り付けた状態で使用できるだけでなく、前記規制部材を照明部から取り外した状態でも使用できる。そして、前記規制部材を照明部に取り付けた状態で使用する場合には、前記規制部材によって照明範囲を制御し、隣近所への光害を低減することができる。また、前記規制部材を照明部から取り外した状態で使用する場合には、従来と同様に広範囲にわたる照明範囲を実現することができる。
【発明を実施するための最良の形態】
【００２３】
本発明に係るセンサライトの基本構造は、従来のものと同様に、設置場所に取付固定される取付部と、この取付部の上部に左右方向及び上下方向に首振り可能に取り付けられた照明部と、この取付部の下端部に左右方向及び上下方向に回転可能に取り付けられるかあるいは前面部に取り付けられる検知センサ部とにより構成され、主として防犯用に使用されるものである。よって、以下の実施の形態の説明においては、照明部に着脱可能に取り付けられる、本発明の特徴点である規制部材（フード部材）及びこの規制部材（フード部材）と照明部との関係について説明し、取付部及び検知センサ部についての説明は省略する。
【００２４】
図１（ａ）（ｂ）は本発明に係るセンサライトの照明部についての一実施の形態を示す分解斜視図である。
【００２５】
図１（ａ）（ｂ）に示すように、センサライトの照明部１は、照明本体部１Ａと、照明本体部１Ａを保護する保護キャップ部１Ｂとを備える。そして、照明部１には、前記ランプの光の一部の照射方向を規制する規制部材としてのフード部材２が着脱可能に取り付けられるようになっている。よって、センサライトを設置する場所に応じて、フード部材２を照明部１に取り付けた状態で使用するか（図１（ａ）参照）、フード部材２を照明部１から取り外した状態で使用するか（図１（ｂ）参照）を選択して使用することができる。
【００２６】
照明本体部１Ａは、ケーシング内部に、光源としてのランプと反射板とを収納する（図１１参照）大径部１Ａａと、この大径部１Ａａよりも径が小さく保護キャップ部１Ｂの後側部分が、嵌合あるいはねじ止めなどにより大径部１Ａａの前側に対し取り付けられる小径部１Ａｂとを有する。この小径部１Ａｂに、後述するように、フード基部２Ａ（基部）あるいはリング部材３を挿入した状態で、保護キャップ部１Ｂの後側部分を取り付けることで、それらを大径部１Ａａと保護キャップ部１Ｂの後側部分との間で挟持して、固定することができる。
【００２７】
保護キャップ部１Ｂは、照明本体部１Ａのランプからの光あるいは前記反射板で反射された光が透過する耐熱ガラス部１Ｂａ（透光部）を有する。この保護キャップ部１Ｂは、照明本体部１Ａを保護する機能も有する。
【００２８】
一方、フード部材２は、円筒状のフード基部２Ａと、そのフード基部２Ａの前側に連接される断面半円弧状のフード本体部２Ｂ（規制本体部）とを有する。フード本体部２Ｂの内面は、表面処理を施さないそのままの面とするほか、ランプからの光を反射する反射率が高くなるように表面処理を施すことも可能である。
【００２９】
フード部材２を照明部１に取り付けた状態で使用する場合には、図１（ａ）に示すように、フード基部２Ａを、照明本体部１Ａと保護キャップ部１Ｂとの間に挟持させ、固定する。つまり、照明本体部１Ａと保護キャップ部１Ｂとでフード基部２Ａを挟持することで、フード部材２が照明本体部１Ａに取り付けられる。また、フード本体部２Ｂの長さは、保護キャップ部１Ｂの長さよりも長いので、その取付状態で、フード本体部２Ｂの先端部分は、保護キャップ部１Ｂの前端を超えてさらに前方に延びている。その場合、固定前は、照明部１に対しフード本体部２Ｂが周方向において回転可能であるので、照射方向を規制する位置にフード本体部２Ｂを回転して移動させることができる。このフード本体部２Ｂの、照明部１の前端から突出量は、下方に設けられるが図示してない検知センサ部による検知エリアを制限しないように設定されている。
【００３０】
照明部１のランプ（光源）としては、通常、ハロゲンランプが用いられ、そのランプの発熱により、フード部材２の温度は１００℃〜２２０℃程度まで上昇するので、この温度に耐えれる耐熱材料をフード部材２の材料として用いることが望ましい。また、センサライトは、住宅街の戸建て住宅の玄関先、カーポートなどの屋外に設置されるので、耐候性のよい材料であることも望ましい。
【００３１】
このようになフード部材２を照明部１に対し使用すれば、図２（ａ）（ｂ）に示すように、照明部１に対しフード部材２（フード本体部２Ｂ）を設けた側において、光源からの光の照射方向を規制し、照明範囲を制限することができる（制限される照明範囲をＳ１とする）。よって、フード部材２を設けることで、隣近所への照明を制御し、使用者が必要とする照明範囲だけを照明することができる。よって、隣近所への光害を低減することができる。ただ、フード部材２の内面で反射された光によって照明される範囲が、新たな照明範囲Ｓ２として追加される。
【００３２】
また、隣近所に対する光害を考慮する必要がない場合など、フード部材２を照明部１から取り外した状態で使用する場合には、図１（ｂ）に示すように、フード基部２Ａに対応する形状を有するリング部材３を、照明本体部１Ａと保護キャップ部１Ｂとの間に挟持させ、固定すればよい。このリング部材３によって、フード部材２を取り外した場合に、照明本体部１Ａと保護キャップ部１Ｂとの間（小径部１Ａｂの部分）に形成される隙間が埋められる。
【００３３】
前記実施形態のほか、本発明は次のように構成することも可能である。
【００３４】
(i)前記実施の形態では、照明部１に対するフード部材２の取付位置が固定されるようになっているが、フード基部を、照明部１の照明本体部１Ａに対しその外周面に沿ってスライド可能に移動できるように装着することもできる。このようにすれば、フード部材の取付位置を変更して、使用者が希望する照明範囲に調整することが可能である。
【００３５】
この場合には、照明本体部とフード基部との間に、照明本体部に対しフード基部を前後方向あるいは周方向に案内する案内手段を設ける必要がある。この案内手段は、例えば図３に示すように、照明本体部１Ａ’に左右対称に設けられる係合凸部１３と、フード基部２Ｂ’に設けられ係合凸部１３がスライド可能に係合するスリット状の案内凹部１４とを有する構成とすればよい。案内凹部１４の後端部は、係合凸部１３との係合を解除できるように開放されている。なお、係合凸部１３をねじで構成すれば、位置調整後、ねじを締め付ければ、移動不能に固定できる。
【００３６】
また、逆に、フード基部に係合凸部を、照明本体部に前記係合凸部がスライド可能に係合する案内凹部をそれぞれ形成するようにしてもよい。
【００３７】
これにより、フード部材がない場合には、図４（ａ）に示すように照明範囲Ｓ１０１は平面視でも側面視でも長円形状で、一定の形状になるが、フード部材１２をスライド可能に設けることで、照明範囲Ｓ１１の上側部分Ｓ１１ａの大きさを変更することができる。つまり、図４（ｂ）に示すように、フード部材の突出量を小さくすることで、上側部分Ｓ１１ａを小さくして、照明範囲の高さＨを大きくすることができ、フード部材１２の突出量を大きくすることで、上側部分Ｓ１１ａを大きくして、照明範囲の高さＨを小さくすることができる。なお、図４（ｃ）に示すように、照明範囲Ｓ１１は平面視では長円形状で、一定の形状である。
【００３８】
(ii)図５に示すように、照明部１１にフード部材１２を取り付けた状態では、案内手段が外部から見えない構成とすることも可能である。
【００３９】
その場合、図６に示すように、照明部１１に対しフード部材１２，１２を左右対称に２つ設け、照明範囲の左右方向への広がりを低減し、両隣の住居などへの照明（光害）を防止することができる。これにより、フード部材がない場合には、図７（ａ）に示すように照明範囲Ｓ１０１は平面視でも側面視でも長円形状で、一定の形状になるが、２つのフード部材１２をスライド可能に設けることで、前述した(i)の場合と同様に、照明範囲Ｓ１２の左右側部分Ｓ１２ａ，Ｓ１２ｂの大きさを変更することができる。つまり、図７（ｂ）に示すように、フード部材１２の突出量を小さくすることで、左右側部分Ｓ１２ａ，Ｓ１２ｂを小さくして、照明範囲Ｓ１２の幅Ｗを大きくすることができ、フード部材１２，１２の突出量を大きくすることで、左右側部分Ｓ１２ａ，Ｓ１２ｂを大きくして、照明範囲の幅Ｗを小さくすることができる。なお、照明範囲Ｓ１２は側面視では、図７（ｃ）に示すように、長円形状で、一定の形状である。また、２つのフード部材１２のスライド量を異ならせて、照明範囲Ｓ１２の左右側部分Ｓ１２ａ，Ｓ１２ｂの大きさをことならしめることも可能である。
【００４０】
(iii)前記フード本体部の形状は、断面半円弧形状とするほか、図８に示すように、照明部１１の外側に対し断面円弧形状のフード部材１２をスライド可能に設ける構成とすることもできる。この場合には、照明範囲Ｓ３の上下左右方向への広がりを防止し、スポット照明（照明）が可能となる。また、照明部１１に対するフード部材１２の突出量が小さいと、照明範囲Ｓ３は円錐形状であるが、前記突出量を大きくすれば照明範囲Ｓ３が葉巻形状となる。このように照明範囲の形状を変更することもできる。
【００４１】
(iv)図９に示すように、フード部材３２を、フード基部３２Ａの前側に位置するフード本体部３２Ｂは、先端に位置する半球面形状の前側部分３２Ｂａと、この前側部分３２Ｂａの後側に連接される断面半円弧状の後側部分３２Ｂｂとを有する構成とすることもできる。この場合には、前側部分３２Ｂａによって、前方への光量（明るさ）を低減させる一方、光源からの光を前側部分３２Ｂａの内面で下方に反射させ、下方への光量を増加させることができるので、センサライトの設置場所下方付近を明るくすることができる。
【００４２】
この場合も、照明部３１にフード部材３２スライド可能に設ける構成とすることもできる。このようにすれば、フード部材がない場合には、図１０（ａ）に示すように照明範囲Ｓ１０１は平面視でも側面視でも長円形状で、一定の形状になるが、半球面形状の前側部分３２Ｂａを有するフード部材３２をスライド可能に設けることで、前述した(i)(ii)の場合と同様に、照明範囲Ｓ１３の左右側部分Ｓ１３ａ，Ｓ１３ｂの大きさを変更することができる。つまり、図１０（ｂ）に示すように、フード部材１２の突出量を小さくすることで、左右側部分Ｓ１３ａ，Ｓ１３ｂを小さくして、照明範囲Ｓ１３ａ，Ｓ１３ｂの幅Ｗを大きくすることができ、フード部材３２の突出量を大きくすることで、左右側部分Ｓ１３ａ，Ｓ１３ｂを大きくして、照明範囲の幅Ｗを小さくすることができる。なお、照明範囲Ｓ１３は側面視では、図１０（ｃ）に示すように、フード部材３２によって、上方への照射が制限され、照明範囲Ｓ１３の上側部分Ｓ１３ｃの大きさがフード部材３２のスライドによって変更され、また、フード部材３２によって反射された光による照明範囲Ｓ１３の下側部分Ｓ１３ｄがフード部材３２の下方に形成され、この下側部分Ｓ１３ｄの大きさもフード部材３２のスライドによって変更される。
【００４３】
(v)図１１に示すように、フード本体部４２Ｂの少なくとも一部を、複数の開孔４３（例えば、円形状の孔や矩形状の孔）が形成されている構成（例えば、パンチングメタル）とすることで、照明範囲の光量を部分的に制御し、近隣住居への照明を低減することができる。つまり、複数の開孔４３を通過すると、光が減衰するので、開孔の数を変更することで、明るさを調整することができる。
【００４４】
(vi)フード部材の形状は、前述したものに制限されず、各種変更が可能である。例えば図１２（ａ）（ｂ）に示すように、フード部材５１は、それのフード本体部５１Ｂの上側部分の上縁５１ｃが角度θ１だけ前下がりに傾斜し、また、側面視で前記上側部分の前縁５１ｂと、照明本体部の前縁（フード部材５１の基部５１Ａ）とがなすフード遮光角度θ２が４６°〜７０°の範囲となるように形成することができる。このようにすれば、照明部の首振り可能な角度範囲のいずれかの角度において、フード部材５１の上側部分の前縁５１ｂが側面視で略水平方向に延びる状態にすることができる。この状態を基準として、照明部を首振ることで、使用者が照明範囲を微調整することができる。特に、上側部分の上縁５１ｃが角度θ１だけ前下がりに傾斜しているので、前方向についての照射方向の制限に効果的に発揮される。
【００４５】
このセンサライトの場合には、図１３（ａ）に示すように、照明本体部５２の先端筒状部に対し、防水パッキン５３、耐熱ガラス５４、およびフード部材５１の基部５１Ａ、および保護キャップ部５５の順に取り付けられる。このように、フード部材５１の基部５１Ａは、照明本体部５２と保護キャップ部５５との間に挟持されることで、取付固定される。照明本体部５２と保護キャップ部５５との間に挟まれるフード部材５１の基部５１Ａに、保護キャップ部５５の係合凸部（図示せず）に係脱可能に係合される位置決め用の係合凹部５１ａが形成されている。そして、フード部材５１を用いない場合には、リング部材５６（図１３（ｂ）参照）が照明本体部５２と保護キャップ部５５との間に挟持される、このリング部材５６は、フード部材５１の基部５１Ａに対応する形状を有し、位置決め用の係合凹部５６ａが形成されている。
【００４６】
(vii)フード部材（規制部材）は、光源からの光の全部又は一部の照射方向を規制して、光害を防止する機能を発揮できれば、照明部に対して着脱可能に取り付けられている必要はなく、図１４に示すように、保護キャップ部５５’の前側にフード部５１’として一体に形成されている構成とすることもできるし、保護キャップ部５５の前面にフード部材をねじ止めしたり耐熱性接着剤を用いて固定したりすることも可能である。この場合には、フード部材の基部やリング部材を収納するための隙間を設ける必要はなくなる。
【００４７】
(viii)ハロゲンランプなどの光源を使用した照明部に適用しているが、ＬＥＤなどの光源を利用した照明部に適用することも可能である。
【図面の簡単な説明】
【００４８】
【図１】（ａ）（ｂ）はそれぞれ本発明に係るセンサライトの照明部についての一実施の形態を示す分解斜視図である。
【図２】（ａ）（ｂ）はそれぞれフード部材を取り付けた場合の、照明範囲の説明図である。
【図３】別の実施の形態の説明図である。
【図４】（ａ）（ｂ）（ｃ）はそれぞれ図３に示す実施の形態の照明範囲の説明図である。
【図５】別の実施の形態の変形例の説明図である。
【図６】さらに別の実施の形態の説明図である。
【図７】（ａ）（ｂ）（ｃ）はそれぞれ図６に示す実施の形態の照明範囲の説明図である。
【図８】他の実施の形態の説明図である。
【図９】さらに他の実施の形態の説明図である。
【図１０】（ａ）（ｂ）（ｃ）はそれぞれ図９に示す実施の形態の照明範囲の説明図である。
【図１１】（ａ）（ｂ）はそれぞれ、また、別の実施の形態の説明図である。
【図１２】（ａ）（ｂ）はそれぞれさらに別の実施形態であるフード部材の斜視図および側面図である。
【図１３】（ａ）（ｂ）はそれぞれ前記別の実施形態において、フード部材を用いる場合およびフード部材を用いない場合の取り付けの説明図である。
【図１４】フード部材を保護キャップ部に一体的に形成した実施の形態の説明図である。
【図１５】（ａ）（ｂ）はそれぞれ従来のセンサライトの説明図である。
【図１６】従来のセンサライトの照明範囲の説明図である。
【図１７】反射鏡による照射方向の説明図である。
【符号の説明】
【００４９】
１，１１，２１    照明部
１Ａ，１Ａ’    照明本体部
１Ｂ    保護キャップ部
２，１２，２２，３２，５１      フード部材（規制部材）
２Ａ，５１Ａ    フード基部（基部）
２Ｂ，２Ｂ’，３２ｂ，５１Ｂ    フード本体部（規制本体部）
３，５６    リング部材
１３    係合凸部
１４    案内凹部
３２Ｂａ    前側部分
３２Ｂｂ    後側部分
【図１】
2008181869.tif 000003
【図２】
2008181869.tif 000004
【図３】
2008181869.tif 000005
【図４】
2008181869.tif 000006
【図５】
2008181869.tif 000007
【図６】
2008181869.tif 000008
【図７】
2008181869.tif 000009
【図８】
2008181869.tif 000010
【図９】
2008181869.tif 000011
【図１０】
2008181869.tif 000012
【図１１】
2008181869.tif 000013
【図１２】
2008181869.tif 000014
【図１３】
2008181869.tif 000015
【図１４】
2008181869.tif 000016
【図１５】
2008181869.tif 000017
【図１６】
2008181869.tif 000018
【図１７】
2008181869.tif 000019